(57)【要約】 【課題】  音声信号再生しすてむにおいて、複数の記録形態中で最高の順位の再生形態で聴取できることを確実にする。【解決手段】  再生装置１０が優先順位をもった複数の記録形態の記録媒体から再生信号を得ることを示すデータを予めデータ記憶部１３１し、再生において音声の出力があるか否かのデータを音声聴取問合せ表示出力部１３２から得てディスプレイ上にＧＵＩとして表示し、このＧＵＩから得られた前記聴取問合せに対する返答データによって聴取可能範囲表示出力部１３３から聴取可能範囲としてのデータを得て新たにＧＵＩに表示し、次にお勧め表示出力部１３４によってＧＵＩにお勧めの表示を行い、設定部１３５によってお勧めに従った信号処理装置１１の設定を行うようにしたことを特徴とする。【選択図】    図２
2007294040.tif 000002
【特許請求の範囲】
【請求項１】
再生装置で再生される再生信号を信号処理装置で処理し音声信号として聴取可能に出力する音声信号再生システムにおいて、
前記再生装置が優先順位をもった複数の記録形態の記録媒体から再生信号を得ることを示すデータを予め記憶するデータ記憶手段と、
前記記録媒体の再生において、該記録媒体の記録形態で音声の出力があるか否かを問合せる音声聴取問合せデータを生成してディスプレイ上にＧＵＩとして表示する音声聴取問合せ手段と、
前記ＧＵＩから得られた前記聴取問合せに対する返答データによって前記データ記憶手段に記憶されたデータから再生信号を得ることができる記録形態を聴取可能範囲としてＧＵＩに表示する聴取可能範囲表示手段と、
前記ＧＵＩに表示された聴取可能範囲の中から最高順位を再生に用いることを勧める表示データを生成してＧＵＩに表示するお勧め表示手段と、
前記ＧＵＩから得られたお勧め表示に対する返答によって前記再生装置の再生状態を設定する設定手段とを備えていることを特徴とする音声信号用再生システム。
【請求項２】
記録媒体から再生される再生信号を音声信号に処理して聴取可能に設定する音声信号再生設定方法において、
優先順位をもった複数の記録形態の記録媒体から再生信号を得ることを示すデータを予め記憶するステップと、
前記記録媒体の再生において該記録媒体の記録形態で音声の出力の有無を問合せる音声聴取問合せデータを生成してディスプレイ上にＧＵＩとして表示する音声聴取を問合せるステップと、
前記ＧＵＩから得られた前記聴取問合せに対する返答によって前記記憶されたデータから再生信号を得ることができる記録形態を聴取可能範囲としてＧＵＩに表示する聴取可能範囲表を表示するステップと、
前記ＧＵＩに表示された聴取可能範囲の中から最高順位を再生に用いることを勧める表示データを生成してＧＵＩに表示するお勧めを表示するステップと、
前記ＧＵＩから得られたお勧め表示に対する返答によって再生状態を設定するステップとを備えていることを特徴とする音声信号再生設定方法。
【発明の詳細な説明】
【技術分野】
【０００１】
本発明は、優先順位をもった複数の記録形態の記録媒体を夫々再生して音声信号として聴取するための音声信号再生システム及び音声信号再生設定方法に関し、特に、前記複数の記録形態中で最高の順位の再生形態で聴取できることを確実に設定する音声信号再生システム及び音声信号再生設定方法に関するものである。
関する。
【背景技術】
【０００２】
近年、音声再生機器においては、その再生形態が多様化されており、その操作が複雑になっている。例えば、記録媒体にはＤＶＤ、ＣＤ、ＭＤなどの種々のものがある。これら記録媒体の情報を単一の装置で再生する場合、夫々の記録媒体ごとにその処理が異なる。そのため、使用者は、音楽の好みの音質、音場で聞きたい場合には、記録媒体ごとに調整をして最適の状態を得るようにするが、この調整が難しい。
【０００３】
そこで、これを解決するために、従来の技術としては、例えば下記の特許文献１で示すものがある。これは、種々の記録媒体から取得されたどの音声信号でも、各記録媒体に含まれる原音を再現して再生するように処理する信号適正化装置を設け、信号適正化装置で再現された原音に対して所望特性を付与する制御処理を行う出力処理装置を設けたものである。出力制御装置の制御は入力操作装置によって行なわれるようになっている。そして、入力操作装置には、使用者が入力操作をしやすいように、グラフィカルユーザインターフェース（ＧＵＩ）が備えられ、表示画面に原音に忠実に再生する場合と使用者の痕身の落ちで再生する場合の選択アイコン、各調整項目に対応した設定入力アイコンなどを表示している。このようにして、使用者はＧＵＩを用いた操作によって好みの音質、音場で記録媒体からの再生信号を聞くことができる。
【０００４】
また、音声信号の処理にＧＵＩを用いた従来技術としては、下記の特許文献２で示すものがある。これは、オーディオ編集ソフトウェアを利用して使用者の意図するサラウンドコンテンツを作成、編集するためには、熟練を要するのでこれを解決したものである。そのために、ＧＵＩ上に音場フィールドを設定し、音源としての音オブジェクトを操作することで、音声データファイルの再生位置やタイミングなど、様々な再生環境を容易に設定可能とし、オーディオデータの記録、編集、再生処理を専門的な知識を必要とすることなく直感的な操作で行うことを可能としたものである。
【０００５】
また、同様に、音声信号の処理にＧＵＩを用いた従来技術としては、下記の特許文献３で示すものがある。これは、パーソナルコンピュータ上にＧＵＩアプリケーション画面を設け、このＧＵＩアプリケーション画面に複数の音源、複数のスピーカ、リスナを配置する設定エリアと各種の設定項目を有する設定部とを設けたものである。そして、使用者は設定項目をマウスによりクリックして音源、スピーカ及びリスナの位置設定などを行えるようにしたものである。
【０００６】
【特許文献１】特開２００５−３１１９５９号公報（段落〔００１０〕〜段落［００１３］、段落［００２６］、段落［００７１］）
【０００７】
【特許文献２】特開２００５−１５０９９３号公報（段落〔０００８〕、段落［０００９］）
【０００８】
【特許文献３】特開２００４−１９３８７７号公報（段落〔００１７〕）
【発明の開示】
【発明が解決しようとする課題】
【０００９】
しかしながら、上述した従来技術においては、音声信号の記録、再生、編集などを行う際にＧＵＩを用いたものであって、記録媒体への記録形態に優先順位が付されたものに関するものでない。
【００１０】
近時は、記録媒体への記録形態には、例えば、ＤＴＳ、ＭＰＥＧオーディオ、ＤｏｌｂｙＡＣ３、ＰＣＭオーディオなどというように各種のものが存在する。そして、これらには、ＤＴＳからＭＰＥＧオーディオ、ＤｏｌｂｙＡＣ３、ＰＣＭオーディオの順にその音質に優先順位がつけられる。このような記録媒体は共通の装置で再生するが、この再生に際して、使用者は再生装置が最適の状態で再生するために最適状態の設定を行う必要がある。この最適状態の選択の設定には経験、熟練などを必要とするので、容易に最適状態が得られないという問題点があった。従って、前記記録形態のように多種の存在に対し、再生装置が各種のものが存在する現状においては、その使用に際して混乱を生じてしまうので、これを解決することが望まれていた。
【００１１】
特に、夫々独立した再生装置、信号処理装置、スピーカ装置等を構成要素とする音声信号再生システムにおいては、再生装置が再生可能とするディスクの記録形態と、信号処理装置が処理可能な再生信号の機能とに整合性がない場合があるので、その使用にあっては混乱を生じてしまうという問題点があった。例えば、再生装置がＤｏｌｂｙＡＣ３、ＰＣＭオーディオだけしか対応せず、信号処理装置とスピーカ装置がＤＴＳ、ＭＰＥＧオーディオ、ＤｏｌｂｙＡＣ３、ＰＣＭオーディオについて対応できる音声信号再生システムにおいて、再生装置をＤＴＳ、ＭＰＥＧオーディオまでも対応できるものに交換する場合がある。この場合、使用者は音声信号再生システムがＤｏｌｂｙＡＣ３、ＰＣＭオーディオだけでなくＤＴＳ、ＭＰＥＧオーディオにも対応できることを知らずに使用してしまうことがある。そのため、折角、高品質の声信号が得られる再生システムが用意されてもこれを利用しないままでいるという不利なことが生じてしまう。
【００１２】
そこで、本発明は従来の問題点を除去するために、前記複数の記録形態中で最高の順位の再生形態で聴取できることを確実にする音声信号再生システム及び音声信号再生設定方法を提供することを目的とする。
【課題を解決するための手段】
【００１３】
前記課題を解決するために、本願に係る発明は、再生装置で再生される再生信号を信号処理装置で処理し音声信号として聴取可能に出力する音声信号再生システムにおいて、
前記再生装置が優先順位をもった複数の記録形態の記録媒体から再生信号を得ることを示すデータを予め記憶するデータ記憶手段（例えば、データ記憶部１３１、ＣＰＵ１３６などから形成されるデータ記憶手段）と、
前記記録媒体の再生において、該記録媒体の記録形態で音声の出力があるか否かを問合せる音声聴取問合せデータを生成してディスプレイ上にＧＵＩとして表示する音声聴取問合せ手段（例えば、音声聴取問合せ表示出力部１３２、ＣＰＵ１３６などから形成される音声聴取問合せ手段）と、
前記ＧＵＩから得られた前記聴取問合せに対する返答データによって前記データ記憶手段に記憶されたデータから再生信号を得ることができる記録形態を聴取可能範囲としてＧＵＩに表示する聴取可能範囲表示手段（例えば、聴取可能範囲表示出力部１３３、ＣＰＵ１３６などから形成される聴取可能範囲表示手段）と、
前記ＧＵＩに表示された聴取可能範囲の中から最高順位を再生に用いることを勧める表示データを生成してＧＵＩに表示するお勧め表示手段（例えば、お勧め表示出力部１３４、ＣＰＵ１３６などから形成されるお勧め表示手段）と、
前記ＧＵＩから得られたお勧め表示に対する返答によって前記再生装置の再生状態を設定する設定手段（例えば、設定部１３５、ＣＰＵ１３６などから形成される設定手段）とを備えていることを特徴とする。
【００１４】
また、本願に係る発明は、記録媒体から再生される再生信号を音声信号に処理して聴取可能に設定する音声信号再生設定方法において、
優先順位をもった複数の記録形態の記録媒体から再生信号を得ることを示すデータを予め記憶するステップ（例えば、ステップＳ１〜Ｓ８）と、
前記記録媒体の再生において該記録媒体の記録形態で音声の出力の有無を問合せる音声聴取問合せデータを生成してディスプレイ上にＧＵＩとして表示する音声聴取を問合せるステップ（例えば、ステップＳ１２）と、
前記ＧＵＩから得られた前記聴取問合せに対する返答によって前記記憶されたデータから再生信号を得ることができる記録形態を聴取可能範囲としてＧＵＩに表示する聴取可能範囲表を表示するステップ（例えば、Ｓ１３）と、
前記ＧＵＩに表示された聴取可能範囲の中から最高順位を再生に用いることを勧める表示データを生成してＧＵＩに表示するお勧めを表示するステップ（例えば、Ｓ１４）と、
前記ＧＵＩから得られたお勧め表示に対する返答によって再生状態を設定するステップ（例えば、ステップＳ１５）とを備えていることを特徴とする。
【発明の効果】
【００１５】
本発明の音声信号再生システム及び音声信号再生設定方法の発明によれば、現在再生している前記記録媒体からの再生信号が聴取されるか否かをＧＵＩとして使用者に問合せ、その返答によってＧＵＩに聴取可能範囲を表示することができる。そして、前記聴取可能範囲中で最高順位の再生形態をお勧めとしてＧＵＩに表示し、使用者がお勧めに従って前最高順位の再生形態に設定できる。
【００１６】
従って、使用者は音声信号用再生システムが最高順位の再生機能で聴取できるの内容をＧＵＩで判断できるので、特に、予備知識を必要とせずに直ちに最高の条件で記録媒体を再生してその音声信号を聴取できる。また、音声信号用再生システムを構成する装置を変更したり新たな装置を付加して再生機能に変更が生じても、変更後の前記お勧め内容がＧＵＩに表示されるので、使用者は確実に簡単な操作で最高の条件で記録媒体を再生してその音声信号を聴取でき条件に設定できる。
【発明を実施するための最良の形態】
【００１７】
本発明を実施するための最良の形態としては、以下に説明する実施例である。
【実施例】
【００１８】
以下、本発明の実施例について図面を参照して説明する。図１は本発明の実施例における音声信号用再生装置を示すブロック図、図２は図１における制御装置を示すブロック図、図３は本発明の実施例に適用される再生機能の優先順位を示す説明図、図４は本発明の実施例における優先順位テーブルの作成を示すフローチャート、図５は本発明の実施例における設定の操作による動作を示すフローチャート、図６は本発明の実施例におけるＧＵＩの画面の状態を示す説明図である。
【００１９】
図１において、１は音声信号再生システムであって、記録媒体であるディスクに記録された信号を再生して再生信号を得るための再生装置１０と、信号の復調処理を行う信号処理装置１１と、スピーカ装置１２、制御装置１３と、ディスプレイ装置１４とから構成されている。再生装置１０で得られた再生信号は信号処理装置１１で音声信号とされてスピーカ装置１２に供給されて音声として聴取できるようになっている。そして、これら再生装置１０、信号処理装置１１及びスピーカ装置１２は、夫々独立に新たなものに交換可能になっている。
【００２０】
再生装置１０は、再生部１０１と操作部１０２とを有し、再生部１０１が操作部１０２の操作によって記録形態がＤＴＳ、ＭＰＥＧオーディオ、ＤｏｌｂｙＡＣ３、ＰＣＭオーディオであるディスクについて夫々再生し、再生信号を出力するようになっている。
【００２１】
信号処理装置１１は、例えば、ＤＴＳ、ＭＰＥＧオーディオ、ＤｏｌｂｙＡＣ３、ＰＣＭオーディオの各種再生信号を音声信号として処理する再生機能を可能とするものである。制御部１３は、信号処理装置１１の再生機能の選択とその設定を制御するものである。また、ディスプレイ装置１４は制御部１３の制御動作をＧＵＩによる表示によって行うためのものである。
【００２２】
制御装置１３は、図２で示すように、データ記憶部１３１と、音声聴取問合せ表示出力部１３２と、聴取可能範囲表示出力部１３３と、お勧め表示出力部１３４と、設定部１３５と、ＣＰＵ１３６と、ＣＰＵ１３５における所定のプログラム処理のためのプログラムを保持するＲＡＭ１３６と、インターフェース１３７とを備えている。そして、データ記憶部１３１、音声聴取問合せ表示出力部１３２、聴取可能範囲表示部１３３、お勧め表示出力部１３４、設定部１３５、ＣＰＵ１３６、ＲＡＭ１３７及びインターフェース１３８はバス１３９によって接続されている。また、制御装置１３には制御装置用操作部１５が付されている。
【００２３】
データ記憶回路１３１は、再生装置１０で再生される記録形態のデータを記憶するようになっている。例えば、ＤＴＳ、ＭＰＥＧオーディオ、ＤｏｌｂｙＡＣ３、ＰＣＭオーディオを指示するデータが記憶されるようになっている。
【００２４】
音声聴取問合せ表示出力回路１３２は、ディスクの記録形態を表示する表示信号を生成し、この表示信号と同時にスピーカ装置１２からの音声出力の有無を問合せる音声聴取問合せデータを生成するものである。
【００２５】
聴取可能範囲表示出力部１３３は、ディスプレイ装置１４のＧＵＩからの返答データを受信してＤＴＳ、ＭＰＥＧオーディオ、ＤｏｌｂｙＡＣ３、ＰＣＭオーディオの順でどの記録形態から再生できるようになっているかの対応範囲を表示する対応範囲表示信号をディスプレイ装置１４に出力するようになっている。この場合の記録形態は、データ記憶回路１３１に粗鍛冶得M記憶されているデータだけである。
【００２６】
お勧め表示出力部１３４は、ＧＵＩに表示された聴取可能範囲の中から最高順位に位置する再生機能を用いることを勧める表示データを生成するようになっている。また、設定部１３５は、ＧＵＩから得られたお勧め表示に対する返答によって信号処理装置１１の再生状態を設定する設定信号を生成するようになっている。
【００２７】
そして、データ記憶部１３１、音声聴取問合せ表示出力部１３２、聴取可能範囲表示部１３３、お勧め表示出力部１３４及び設定部１３５は、制御装置用操作部１４の操作とＧＵＩの操作によるＣＰＵ１３６の処理動作のよって作動されるようになっている。
【００２８】
次に、上述した本発明の実施例の構成による音声信号再生システム１の動作と番組検索用番組情報生成方法について説明する。
【００２９】
前記記録形態は、図２で示すように、ＤＴＳ、ＭＰＥＧオーディオ、ＤｏｌｂｙＡＣ３、ＰＣＭオーディオというように各種のものがあり、その音質、臨場感などの品質によって優先順位が定められている。すなわち、最も優先順位が高いＤＴＳから順にＭＰＥＧオーディオ、ＤｏｌｂｙＡＣ３、ＰＣＭオーディオとに位置付けられている。そして、ディスクには夫々これらの記録形態で音声信号が記録されている。しかし、ディスクによっては、ＤＶＤ−ＶＩＤＯのようにＤｏｌｂｙＡＣ３、ＰＣＭオーディオとを用いているものもある。
【００３０】
まず、図４で示すように、使用者は制御装置用操作部１５を操作して制御装置１１に優先順位テーブルを作成する。この優先順位テーブルの作成は、制御装置１１が再生装置１０で再生されることができる形態を確認してそのデータをデータ記憶回路１３７に記憶するものである。
【００３１】
最初は、再生中のタイトルに最高順位であるＤＴＳストリームの有無の判別によってテーブルにＤＴＳを追加するか否かの処理を行なう（ステップＳ１）。ＤＴＳストリームがある場合は、オーディオテーブルにＤＴＳを追加する（ステップＳ２）。ＤＴＳストリームがない場合は、次の順位であるＭＰＥＧオーディオの有無の判別によってテーブルにＭＰＥＧオーディオを追加するか否かの処理を行なう（ステップＳ３）。ＭＰＥＧオーディオがある場合は、テーブルにＭＰＥＧオーディオを追加する（ステップＳ４）。ＭＰＥＧオーディオがない場合は、次の順位であるＤｏｌｂｙＡＣ３の有無の判別によってテーブルにＤｏｌｂｙＡＣ３を追加するか否かの処理を行なう（ステップＳ５）。ＤｏｌｂｙＡＣ３がある場合は、オーディオテーブルにＤｏｌｂｙＡＣ３を追加する（ステップＳ４）。ＤｏｌｂｙＡＣ３がない場合は、最下位の順位であるＰＣＭオーディオの有無の判別によってテーブルにＰＣＭオーディオを追加するか否かの処理を行なう（ステップＳ５）。ＰＣＭオーディオがある場合は、オーディオテーブルにＰＣＭオーディオを追加する（ステップＳ４）。ＰＣＭオーディオがない場合は、これでもってＰＣＭオーディオを追加することなく終了とする。
【００３２】
このテーブルの作成によって、再生装置１０が対応できる記録形態の種類が設定される。
そこで、再生装置１０が記録媒体から音声信号を再生する場合、使用者が再生装置１０の最も優位の条件で再生できることが好ましい。その操作について図５、図６に基づいて説明する。
【００３３】
使用者は再生装置１０によってディスクの記録信号を再生する（ステップＳ１０）。ディスプレイ装置１４におけるＧＵＩの画面２０においては、現在のままで設定状態とするか否かの問い合わせのが行なわれる（ステップＳ１１）。使用者は現状での設定を拒否するためのＮＯの回答をする。この回答によって、次の画面２１が表示される。この画面２１には、例えば、ＤｏｌｂｙＡＣ３の適用された記録媒体が再生部１１で再生されている場合は、現在ＤｏｌｂｙＡＣ３ストリームを出力中である旨の表示がなされる。同時のこの再生音声がスピーカ装置１２から出力されて認識できるか否かの問い合わせが行なわれる（ステップＳ１２）。
【００３４】
この問合せに対し、使用者がＹＥＳと回答すると画面２２が得られる（ステップＳ１３）。この画面２２はＤｏｌｂｙＡＣ３で再生される条件で設定を行うか否かを問うＧＵＩである。この問いに対して、使用者がＹＥＳと回答すると画面２３が得られる。この画面は、ＤｏｌｂｙＡＣ３とその下位に当たるＰＣＭオーディオ再生が可能であることと、ＤＴＳの再生が不可能であることを表示する。
【００３５】
そこで、使用者はＮＥＸＴの操作を行って次のＧＵＩを得ることとする。その結果、画面２３が表示される。この画面は、使用者に対してＤｏｌｂｙＡＣ３の出力設定が勧められる旨の表示がなされる。これは、現在の再生機能における最も高品位の機能を表示したものである。そして、ＧＵＩにおいて、ＤｏｌｂｙＡＣ３への変更をするか否かの問いがなされる（ステップＳ１４）。
【００３６】
ここで、使用者がＹＥＳを選択すれば再生装置１はＤｏｌｂｙＡＣ３を出力するように設定される（ステップＳ１５）。一方、ＮＯを選択すれば何ら変化がなく現在の再生機能を継続した状態となる。
【００３７】
上述した実施例によれば、予めディスクの記録形態を優先順位をつけてデータ記憶部１３１に記憶しておき、現在再生しているディスクからの再生信号が聴取されるか否かを音声聴取問合せ表示出力部１３２により出力し、この音声聴取問合せ表示信号を制御装置１３からディスプレイ装置にＧＵＩとして出力し使用者に問合せることができる。この問合せに対して使用者が返答すると聴取可能範囲表示出力部１２がデータ記憶部１３１に記憶されているデータから聴取可能範囲表示出力を出力する。この聴取可能範囲表示信号は制御装置１３からディスプレイ装置１４にＧＵＩとして出力し聴取可能範囲を表示することができる。使用者がこの表示から再生機能を選択したいと返答すれば、お勧め表示出力部１３４が前記聴取可能範囲中で最高順位の再生形態をＧＵＩに表示する。この表示によって、使用者はお勧めの再生機能を選択する旨の返答をすれば、設定部１３５により得られる設定信号によって信号処理装置１１が最高順位の再生形態に設定される。
【００３８】
従って、使用者は音声信号用再生システム１が最高順位の再生機能で聴取できるの内容をＧＵＩで判断できるので、特に、予備知識を必要とせずに直ちに最高の条件で記録媒体を再生してその音声信号を聴取できる。また、音声信号用再生システム１を構成する装置を変更したり新たな装置を付加して再生機能に変更が生じても、変更後の内容がＧＵＩに表示されるので、使用者は確実に簡単な操作で最高の条件で記録媒体を再生してその音声信号を聴取でき条件に設定できる。
【００３９】
尚、上述した本発明の実施例においては、再生装置１０、信号処理装置１１、スピーカ装置１２、制御装置１３は夫々別体としたが、本発明はこれに限定されることなく、再生装置１０、信号処理装置１１、スピーカ装置１２、制御装置１３を適宜に組み合わせて一体にしてもよい。
【００４０】
尚、また、上述した本発明の実施例においては、記録媒体としてディスクを用いた場合について説明したが、本発明はこれに限定されることなく磁気テープ、半導体メモリなどの各種の記録媒体を用いることができる。
【００４１】
尚、また、上述した本発明の実施例においては、聴取するためにスピーカ装置１２を用いたが、本発明はこれに限定されることなくヘッドホーン、イヤホーンを用いることができる。
【図面の簡単な説明】
【００４２】
【図１】本発明の実施例における音声信号用再生装置を示すブロック図である。
【図２】図１における制御部を示すブロック図である。
【図３】本発明の実施例に適用される再生機能の優先順位を示す説明図である。
【図４】本発明の実施例における優先順位テーブルの作成を示すフローチャートである。
【図５】本発明の実施例における設定の操作による動作を示すフローチャートである。
【図６】本発明の実施例におけるＧＵＩの画面の状態を示す説明図である。
【符号の説明】
【００４３】
１        音声信号再生システム
１０      再生装置
１１      信号処理装置
１２      スピーカ装置
１３      制御装置
１４      ディスプレイ装置
１５      制御装置用操作部
１０１    再生部
１０２    操作部
１３１    データ記憶部
１３２    音声聴取問合せ表示出力部
１３３    聴取可能範囲表示出力部
１３４    お勧め表示出力部
１３５    設定部
１３６    ＣＰＵ
【図１】
2007294040.tif 000003
【図２】
2007294040.tif 000004
【図３】
2007294040.tif 000005
【図４】
2007294040.tif 000006
【図５】
2007294040.tif 000007
【図６】
2007294040.tif 000008